(57)【特許請求の範囲】
【請求項１】
カバーで覆われた背凭れ部に、機械式の施療装置が内装された椅子式マッサージ機であって、
この施療装置は、フレームに可動ユニットが配設されたものであり、
この可動ユニットは、たたき駆動用モータと、たたき駆動用モータにより回転駆動されるたたき駆動軸と、施療子を前方に突出させた施療子ユニットとを有し、一方向に回転駆動されるたたき駆動軸を介して施療子ユニットがたたき動作されるものであり、
少なくとも施療子が前方に移動するように可動ユニットを前方に回動させたときに、上記たたき駆動軸が施療装置の可動ユニットとフレームの隙間から前斜め上方に露出された状態となり、
上記可動ユニットには、上記たたき駆動軸の上方を覆うカバー体を設け、このカバー体は、施療子ユニットを避ける回避用凹所を備えた庇状の部材であることを特徴とする椅子式マッサージ機。
【発明の詳細な説明】
【技術分野】
【０００１】
本発明は、椅子式マッサージ機に関するものである。
【背景技術】
【０００２】
従来から、椅子式マッサージ機の背凭れ部には、モータにより回転駆動される駆動軸を介して前方に突出した施療子が動作される機械式の施療装置が内装されている。施療子は背凭れ部に凭れかけた被施療者の背中に対して背凭れ部を覆うカバー越しに押圧施療を施すものであり、前後に突没させたり左右に揺動させたり等の動作がなされている。
【０００３】
ここで、施療装置は一般にカバーで覆われることを前提に作られていて、備わる駆動部品はしばしば装置外にむき出しにされている。殊に、強い施療を期して施療子を前方に移動させた際には、回転駆動される駆動軸が施療装置の前斜め上方に露出する状態になるケースもしばしばある（特許文献１参照）。
【０００４】
しかしながら、施療動作をする施療子と被施療者の背中との間に位置するカバーには摺れや圧縮・引張りなどの力がかかって経年劣化し易いのであり、最終的には地が薄くなって破れるおそれもある。
【０００５】
このように、カバーが万が一破れてしまった場合には、該破れた箇所から被施療者の髪の毛が背凭れ部内に入ってしまうことも考えられるのであり、このとき、上記のように回転駆動される駆動軸が施療装置の前斜め上方に露出する状態にあると、上方から垂れる髪の毛が回転する駆動軸に巻き込まれる可能性を否定できるものでなく、万が一の危険性を排除できないのであった。
【特許文献１】特開２００６−１４９８５５号公報
【発明の開示】
【発明が解決しようとする課題】
【０００６】
本発明は上記の点に鑑みてなされたものであり、その目的とするところは、カバーが万が一破れてしまっても安全性を確保できる椅子式マッサージ機を提供することを課題とするものである。
【課題を解決するための手段】
【０００７】
本発明は、上記課題を解決する椅子式マッサージ機であり、カバー６で覆われた背凭れ部３に、機械式の施療装置８が内装されている。施療装置８は、フレーム１０に可動ユニット３０が配設されたものである。可動ユニット３０は、たたき駆動用モータ４３と、たたき駆動用モータ４３により回転駆動されるたたき駆動軸３４と、施療子９を前方に突出させた施療子ユニット５０とを有し、一方向に回転駆動されるたたき駆動軸３４を介して施療子ユニット５０がたたき動作されるものであり、少なくとも施療子９が前方に移動するように可動ユニット３０を前方に回動させたときに、上記たたき駆動軸３４が施療装置８の可動ユニット３０とフレーム１０の隙間から前斜め上方に露出された状態となる。そして、この可動ユニット３０に、上記たたき駆動軸３４の上方を覆うカバー体４０を設ける。カバー体４０は、施療子ユニット５０を避ける回避用凹所４１を備えた庇状の部材である。
【０００８】
これによると、施療動作をする施療子９と背中との間に位置するカバー６が劣化などで破けてしまい、該破けた箇所から背凭れ部３内に被施療者の髪の毛が入り、この上方から垂れる髪の毛が可動ユニット３０の回転駆動するたたき駆動軸３４に近づいたとしても、避難用凹所４１にて施療子ユニット５０を避けるように可動ユニット３０に設けた庇状のカバー体４０が、上記たたき駆動軸３４の上方を覆ってたたき駆動軸３４の施療装置８の前斜め上方への露出を妨げるため、該カバー体４０によって該髪の毛がたたき駆動軸３４に至ることを防止できる。そのため、回転駆動するたたき駆動軸３４に髪の毛が巻き込まれる恐れを排除でき、安全性を確保できる。
【発明の効果】
【０００９】
本発明にあっては、カバーが万が一破れてしまっても安全性を確保できる、という利点を有する。
【発明を実施するための最良の形態】
【００１０】
以下、本発明を添付図面に示す実施形態に基いて説明する。
【００１１】
本例の椅子式マッサージ機１は、図２のように、座部２の後側に背凭れ部３が、前側に脚載せ台４がそれぞれ傾倒自在に配設され、座部２の左右には肘掛部５が配設されている。背凭れ部３はカバー６で覆われており、その内部には椅子フレームを兼ねるレール材７が上下に略亙るように配設されると共に、このレール材７に沿って上下に自走可能にして機械式の施療装置８が内装されている。
【００１２】
施療装置８はモータにより前方に突出した施療子９を回転駆動される各種駆動軸を介して動作させる装置であり、施療子９は背凭れ部３に凭れかけた被施療者の背中に対して背凭れ部３を覆うカバー６越しに押圧施療を施すものであって、前後に突没させたり左右に揺動させたり等の動作がなされる。
【００１３】
詳しくは、施療装置８は、図３，４のように、フレーム１０を構成する左右の側板１１，１１間には上下駆動軸１２と強弱駆動軸１３とが架設されており、また図５，６に示すところの可動ユニット３０が両側板１１，１１間に配設されている。
【００１４】
上記の上下駆動軸１２は、一方の側板１１に固定された上下駆動用モータ１４の出力がギアボックス１５内のギア群を介して伝達されることで回転駆動されるものであり、その両端にはピニオン１６ところ１７とが夫々取り付けられている。ころ１７は各側板１１に突設した軸１８に軸支されるころ（図示せず）と共に上記レール材７内を転動し、ピニオン１６は上記レール材７に付設されたラック（図示せず）と噛合する。
【００１５】
上記の強弱駆動軸１３は他方の側板１１に固定された強弱駆動用モータ１９の出力がギアボックス２０内のギア群を介して伝達されることで回転駆動されるものであり、その両端部には夫々上記可動ユニット３０を回転させるためのギア２１，２１が取り付けられている。
【００１６】
可動ユニット３０は、図５，６のように、左右一対のギアプレート３１，３１間に幅駆動軸３２と２本のスライドガイド軸３３，３３及びたたき駆動軸３４を架設するとともに、左右一対の施療子ユニット５０，５０（図では一方の施療子ユニット５０のみを示している）を取り付けたもので、両ギアプレート３１，３１に対して軸回りの回転が自在となっている幅駆動軸３２の両端が上記一対の側板１１，１１で支持されることで上記両側板１１，１１間に配設され、ギアプレート３１，３１の外周面の歯部３５，３５を上記のギア２１，２１に噛合させる。
【００１７】
ここで、幅駆動軸３２の一端は、一方の側板１１に取り付けた幅駆動用モータ３６の出力がプーリ（図示せず）及びベルト（図示せず）を介して伝達されるプーリ３９に連結されるものであり、このために幅駆動軸３２は幅駆動用モータ３６の出力で軸回りの回転を行う。なお、図中４２は各軸３２〜３４の間隔（平行度）を保つためのスペーサであり、後述のカバー体４０に固定されている。
【００１８】
また可動ユニット３０における一方のギアプレート３１上にはたたき駆動用モータ４３が取り付けられている。このモータ４３の出力はプーリ４４，４５とベルト４６とによって上記たたき駆動軸３４に伝達される。なお、たたき駆動軸３４は左右で偏心方向が異なるクランク軸として形成されている。
【００１９】
施療子ユニット５０は、アームベース５１からアーム５２を突設してその先端にローラ型の施療子９を設けて成るもので、アームベース５１は上記幅駆動軸３２のねじ部に螺合する送りナット５３と、上記スライドガイド軸３３，３３にスライド自在に嵌合するスライダー５４，５４とを備えて、幅駆動軸３２の回転によって幅駆動軸３２及びスライドガイド軸３３の軸方向位置を変化させるものであり、また、幅駆動軸３２に形成されたねじ部は、片側が逆ねじで形成されていることから、左右一対の施療子ユニット５０における各アームベース５１は、幅駆動軸３２の回転によって、互いに接近したり離れたりするものである。
【００２０】
施療子９を先端に備えたアーム５２はアームベース５１に軸着されており、たたき駆動軸３４に一端を連結したリンク５５の他端が連結されている。また、アーム５２とリンク５５との間にはねじりコイルばね５６が介装されており、一方向にのみ回転駆動するたたき駆動軸３４（リンク５５）とねじりコイルばね５６との協働で施療子９が前後に回転揺動するたたき動作を行わせる。なお、本例では１つの施療子ユニット５０に１つのアーム５２（施療子９）が設けられているが、一対のアーム５２（一対の施療子９）を設けてもよい。
【００２１】
以上のように構成された施療装置８の動作について説明すると、まず上下駆動用モータ１４で上下駆動軸１２を駆動する時、施療装置８は背凭れ部３内を上下に自走して施療子９の位置を上下に変更する。また、強弱駆動用モータ１９で強弱駆動軸１３を駆動すれば、強弱駆動軸１３が備えるギア２１がギアプレート３１を幅駆動軸３２の軸回りに回転させるために可動ユニット３０が回転するものであり、このために幅駆動軸１１から見た施療子９ａの背凭れ部３前方への突出量が小さい状態（図７）と、幅駆動軸１１から見た施療子９ａの前方突出量が大きい状態とを得ることができる（図１）。つまり、施療子９の前方突出量を変化させることによる強弱調整を行うことができる。可動ユニット３０は図１，７のように所定の回動範囲で回転姿勢を採ることとなるが、たたき駆動軸３４はおおむね施療装置８の前部且つ上部に位置するようになっている。また、幅駆動用モータ３６によって幅駆動軸３２を回転させる時、前述のように左右一対の施療子ユニット５０，５０は幅方向（左右方向）において接近離反し、左右の施療子９の間隔を変更する。
【００２２】
ここで、図１のようにフレーム１０に対して可動ユニット３０を前方へ回動させて施療子９を突き出すように移動させたとき（強刺激による施療時）には、フレーム１０と可動ユニット３０との間にできる比較的大きな隙間Ｓからたたき駆動軸３４が施療装置８の前斜め上方に露出しようとする姿勢になるが、本例の椅子式マッサージ機１では該たたき駆動軸３４の施療装置８の前斜め上方への露出を妨げるべく、施療装置８にたたき駆動軸３４の上方を覆うカバー体４０が設けられている。詳しくは、カバー体４０は、図５のように駆動する施療子ユニット５０を避ける回避用凹所４１を備えた庇状の板材であり、可動ユニット３０の一対のギアプレート３１の上部間に架設されている。
【００２３】
したがって、施療動作をする施療子９と背中との間に位置するカバー６が劣化などで破けてしまい、該破けた箇所から背凭れ部３内に被施療者の髪の毛が入って、この上方から垂れる髪の毛が施療装置８の回転駆動するたたき駆動軸３４に近づいたとしても、この施療装置８に設けたカバー体４０がたたき駆動軸３４の上方を覆うので、該カバー体４０によって該髪の毛がたたき駆動軸３４に至ることを防止できるのであって、回転駆動するたたき駆動軸３４に髪の毛が巻き込まれる恐れを排除できて安全性を確保できる。
【００２４】
殊に、カバー体４０はたたき駆動軸３４を有する可動ユニット３０に取り付けられているので、施療装置８内で可動ユニット３０が動いてもカバー体４０とたたき駆動軸３４との位置関係（距離）を一定に保つことができ、その距離を小さくしてカバー体４０で効果的にたたき駆動軸３４を隠蔽できるから、髪の毛がたたき駆動軸３４に至ることを有効に防止できて、高い安全性を確保できる。
【００２５】
なお、本例の椅子式マッサージ機１では、図７のようにフレーム１０に対して可動ユニット３０を後方へ回動させて施療子９の前方突出量を比較的小さくしたとき（弱刺激による施療時）には、上述のようにたとえカバー６が破れて背凭れ部３内に被施療者の髪の毛が入っても、上記カバー体４０に加えてフレーム１０と可動ユニット３０との間の隙間Ｓが小さくなることも相俟って、該髪の毛が回転駆動するたたき駆動軸３４に至る恐れを有効に排除できる。
【図面の簡単な説明】
【００２６】
【図１】本発明の実施の形態の例の椅子式マッサージ機において、施療装置が強刺激施療時にある要部の概略側面図である。
【図２】同上の椅子式マッサージ機の側面図である。
【図３】同上の施療装置であって後斜め上方から見た斜視図である。
【図４】同上の施療装置であって前斜め上方から見た斜視図である。
【図５】同上の可動ユニットであって前斜め上方から見た斜視図である。
【図６】同上の可動ユニットであって後斜め上方から見た斜視図である。
【図７】同上の施療装置が弱刺激施療時にある要部の概略側面図である。
【符号の説明】
【００２７】
１  椅子式マッサージ機
３  背凭れ部
６  カバー
８  施療装置
９  施療子
３４  たたき駆動軸
４０  カバー体
【図１】
0005096977.tif 000002
【図２】
0005096977.tif 000003
【図３】
0005096977.tif 000004
【図４】
0005096977.tif 000005
【図５】
0005096977.tif 000006
【図６】
0005096977.tif 000007
【図７】
0005096977.tif 000008